(57)【要約】【課題】従来の電子メールシステムでは、電子メールを送信する相手によって異なる電子メールを送信するためには、メッセージを全て一から記載しなければならず、非常に面倒であった。【解決手段】メール送信するメッセージを記載するための媒体と、電子ペンと、携帯通信装置と、サーバ装置を具備する電子メールシステムであって、媒体は、電子メールのメッセージを記載するメッセージ領域を有し、当該メッセージ領域は、下絵を有する媒体であり、電子ペン[HT1]は、媒体に記載された情報を取得し、前記携帯通信装置に送信し、前記携帯通信装置は、前記電子ペンから情報を受信し、前記サーバ装置に転送し、前記サーバ装置は、情報を受信し、前記受信した情報に基づいてメッセージを送信する電子メールシステムにより、電子メールを送信する相手によって異なる電子メールを送信することが極めて容易になる。【選択図】図１
2006155258.tif 000002
【特許請求の範囲】
【請求項１】
メール送信するメッセージを記載するための媒体と、電子ペンと、携帯通信装置と、サーバ装置を具備する電子メールシステムであって、
前記媒体は、
電子メールのメッセージを記載するメッセージ領域を有し、
当該メッセージ領域は、下絵を有する媒体であり、
前記電子ペンは、
前記媒体に記載された情報を取得する情報取得部と、
前記情報取得部が取得した情報を前記携帯通信装置に送信する送信部を具備し、
前記携帯通信装置は、
前記電子ペンから情報を受信し、前記サーバ装置に転送する情報転送部と、
前記サーバ装置は、
前記携帯通信装置から情報を受信する情報受信部と、
前記受信した情報に基づいてメッセージを送信する電子メール送信部を具備する電子メールシステム。
【請求項２】
メール送信するメッセージを記載するための媒体と、電子ペンと、携帯通信装置と、サーバ装置を具備する電子メールシステムであって、
前記媒体は、
電子メールの送信先を識別する情報を記載する送信先識別領域と、
電子メールのメッセージを記載するメッセージ領域を有し、
当該メッセージ領域は、下絵を有する媒体であり、
前記電子ペンは、
前記媒体に記載された情報を取得する情報取得部と、
前記情報取得部が取得した情報を前記携帯通信装置に送信する送信部を具備し、
前記携帯通信装置は、
前記電子ペンから情報を受信し、前記サーバ装置に転送する情報転送部と、
前記サーバ装置は、
前記携帯通信装置から情報を受信する情報受信部と、
前記情報が送信先識別領域に記載された情報である場合に、当該情報に基づいて送信先を決定する送信先決定部と、
前記情報がメッセージ領域に記載された情報である場合に、当該情報に基づいてメッセージを送信する電子メール送信部を具備する電子メールシステム。
【請求項３】
前記携帯通信装置は、
前記携帯通信装置を識別する情報である携帯識別子を格納している携帯識別子格納部と、
前記電子ペンから情報を受信するペン情報受信部と、
前記ペン情報受信部が受信した情報と、前記携帯識別子格納部の携帯識別子に基づいて、前記サーバ装置に送信する情報を構成する送信情報構成部をさらに具備し、
前記情報転送部は、
前記送信情報構成部が構成した情報を前記サーバ装置に送信する請求項２記載の電子メールシステム。
【請求項４】
前記メッセージ領域に記載された情報を送信する情報である送信情報に変換する情報変換部をさらに具備し、
前記電子メール送信部は、
前記送信先決定部が決定した送信先に、前記送信情報を送信する請求項１から請求項３いずれか記載の電子メールシステム。
【請求項５】
送信するメッセージを記載するための媒体と、電子ペンと、携帯通信装置を具備する電子メールシステムであって、
前記媒体は、
電子メールのメッセージを記載するメッセージ領域を有し、
当該メッセージ領域は、下絵を有する媒体であり、
前記電子ペンは、
前記媒体に記載された情報を取得する情報取得部と、
前記情報取得部が取得した情報を前記携帯通信装置に送信する送信部を具備し、
前記携帯通信装置は、
前記電子ペンから情報を受信するペン情報受信部と、
前記情報がメッセージ領域に記載された情報に基づいてメッセージを送信する電子メール送信部を具備する電子メールシステム。
【請求項６】
送信するメッセージを記載するための媒体と、電子ペンと、携帯通信装置を具備する電子メールシステムであって、
前記媒体は、
電子メールの送信先を識別する情報を記載する送信先識別領域と、
電子メールのメッセージを記載するメッセージ領域を有し、
当該メッセージ領域は、下絵を有する媒体であり、
前記電子ペンは、
前記媒体に記載された情報を取得する情報取得部と、
前記情報取得部が取得した情報を前記携帯通信装置に送信する送信部を具備し、
前記携帯通信装置は、
前記電子ペンから情報を受信するペン情報受信部と、
前記携帯情報受信部が受信した情報が送信先識別領域に記載された情報である場合に、当該情報に基づいて送信先を決定する送信先決定部と、
前記送信先決定部が決定した送信先に、前記情報がメッセージ領域に記載された情報に基づいてメッセージを送信する電子メール送信部を具備する電子メールシステム。
【請求項７】
前記携帯通信装置は、
前記携帯通信装置を識別する情報である携帯識別子を格納している携帯識別子格納部と、
前記ペン情報受信部が受信した情報と、前記携帯識別子格納部の携帯識別子に基づいて、送信する情報を構成する送信情報構成部をさらに具備し、
前記電子メール送信部は、
前記送信先決定部が決定した送信先に、前記送信情報構成部が構成した情報を送信する請求項６記載の電子メールシステム。
【請求項８】
請求項１から請求項７いずれか記載の電子メールシステムを構成する携帯通信装置。
【請求項９】
請求項１から請求項４いずれか記載の電子メールシステムを構成するサーバ装置。
【請求項１０】
電子ペンを用いて電子メールを送信するメッセージを記載するための媒体であって、
電子メールのメッセージを記載するメッセージ領域を有し、
当該メッセージ領域は、下絵を有する媒体。
【請求項１１】
前記下絵は、２以上の絵を含む請求項１０記載の媒体。
【請求項１２】
電子メールの送信先を識別する情報を記載する送信先識別領域をさらに具備する請求項１０または請求項１１記載の媒体。
【請求項１３】
コンピュータに、
前記電子ペンから情報を受信するペン情報受信ステップと、
前記ペン情報受信ステップで受信した情報と、格納している携帯識別子に基づいて、サーバ装置に送信する情報を構成する送信情報構成ステップと、
送信情報構成ステップで構成した情報を前記サーバ装置に送信する情報転送ステップを実行させるためのプログラム。
【請求項１４】
コンピュータに、
前記電子ペンから情報を受信するペン情報受信ステップと、
前記ペン情報受信ステップで受信した情報と、格納している携帯識別子に基づいて、送信する情報を構成する送信情報構成ステップと、
送信情報構成ステップで構成した情報を送信する情報転送ステップを実行させるためのプログラム。
【発明の詳細な説明】
【技術分野】
【０００１】
本発明は、電子ペンを利用した電子メールシステムや電子メールのメッセージを記載する媒体等に関するものである。
【背景技術】
【０００２】
現在、電子ペン（非特許文献１参照）を利用して、携帯電話経由で電子メールを送信できるシステムが存在する（非特許文献２参照）。本電子メールシステムでは、同じメッセージの電子メールを一度に多数の人に送信できる。
【非特許文献１】アノト日本株式会社ホームページ、インターネット<ＵＲＬ：ｈｔｔｐ：／／ｗｗｗ．ａｎｏｔｏ．ｊｐ／ｔｓｕｉｔｅ．ｈｔｍｌ>
【非特許文献２】ＰＣＶｉｅｗホームページ、インターネット<ＵＲＬ：  ｈｔｔｐ：／／  ｈｔｔｐ：／／ｗｗｗ．ｐｃ−ｖｉｅｗ．ｎｅｔ／Ｎｅｗｓ／Ｏｌｄ／０２０８／２７０６．ｈｔｍｌ>
【発明の開示】
【発明が解決しようとする課題】
【０００３】
しかし、非特許文献２による電子メールシステムでは、電子メールを送信する相手によって異なる電子メールを送信するためには、メッセージを全て一から記載しなければならず、非常に面倒であった。
また、非特許文献２による電子メールシステムでは、送信先のアドレスの選択も、容易に行えなかった。
さらに、非特許文献２による電子メールシステムでは、電子メールの受信者にとって、電子メールの送信者が誰になるか不明である。
【課題を解決するための手段】
【０００４】
本第一の発明の電子メールシステムは、メール送信するメッセージを記載するための媒体と、電子ペンと、携帯通信装置と、サーバ装置を具備する電子メールシステムであって、前記媒体は、電子メールの送信先を識別する情報を記載する送信先識別領域と、電子メールのメッセージを記載するメッセージ領域を有し、当該メッセージ領域は、下絵を有する媒体であり、前記電子ペンは、前記媒体に記載された情報を取得する情報取得部と、前記情報取得部が取得した情報を前記携帯通信装置に送信する送信部を具備し、前記携帯通信装置は、前記電子ペンから情報を受信し、前記サーバ装置に転送する情報転送部と、前記サーバ装置は、前記携帯通信装置から情報を受信する情報受信部と、前記情報が送信先識別領域に記載された情報である場合に、当該情報に基づいて送信先を決定する送信先決定部と、前記情報がメッセージ領域に記載された情報である場合に、当該情報に基づいてメッセージを送信する電子メール送信部を具備する電子メールシステムである。
かかる構成により、電子メールを送信する相手によって異なる電子メールを送信することが極めて容易になる。
【０００５】
本第二の発明の電子メールシステムは、第一の発明の電子メールシステムにおける携帯通信装置において、前記携帯通信装置を識別する情報である携帯識別子を格納している携帯識別子格納部と、前記電子ペンから情報を受信するペン情報受信部と、前記ペン情報受信部が受信した情報と、前記携帯識別子格納部の携帯識別子に基づいて、前記サーバ装置に送信する情報を構成する送信情報構成部をさらに具備し、前記情報転送部は、前記送信情報構成部が構成した情報を前記サーバ装置に送信する構成である。
【０００６】
かかる構成により、電子メールの受信者にとって、電子メールの送信者が携帯通信装置の持ち主であると分かる。したがって、電子ペンを複数人で共有できる。また、電子メールを送りたいユーザは、自分の携帯通信装置を持っていれば、他人の電子ペンを用いて電子メールを送信できる。
【０００７】
本第三の発明の電子メールシステムは、送信するメッセージを記載するための媒体と、電子ペンと、携帯通信装置を具備する電子メールシステムであって、前記媒体は、電子メールの送信先を識別する情報を記載する送信先識別領域と、電子メールのメッセージを記載するメッセージ領域を有し、当該メッセージ領域は、下絵を有する媒体であり、前記電子ペンは、前記媒体に記載された情報を取得する情報取得部と、前記情報取得部が取得した情報を前記携帯通信装置に送信する送信部を具備し、前記携帯通信装置は、前記電子ペンから情報を受信するペン情報受信部と、前記携帯情報受信部が受信した情報が送信先識別領域に記載された情報である場合に、当該情報に基づいて送信先を決定する送信先決定部と、前記送信先決定部が決定した送信先に、前記情報がメッセージ領域に記載された情報に基づいてメッセージを送信する電子メール送信部を具備する電子メールシステムである。
かかる構成により、サーバ装置を具備しなくとも、電子メールを送信する相手によって異なる電子メールを送信することが極めて容易になる。
【０００８】
本第四の発明の電子メールシステムは、第三の電子メールシステムにおいて、前記携帯通信装置は、前記携帯通信装置を識別する情報である携帯識別子を格納している携帯識別子格納部と、前記ペン情報受信部が受信した情報と、前記携帯識別子格納部の携帯識別子に基づいて、前記サーバ装置に送信する情報を構成する送信情報構成部をさらに具備し、前記電子メール送信部は、前記送信先決定部が決定した送信先に、前記送信情報構成部が構成した情報を送信する構成である。
【０００９】
かかる構成により、サーバ装置を具備しなくても、電子メールの受信者にとって、電子メールの送信者が携帯通信装置の持ち主であると分かる。したがって、電子ペンを複数人で共有できる。また、電子メールを送りたいユーザは、自分の携帯通信装置を持っていれば、他人の電子ペンを用いて電子メールを送信できる。
本第五の発明は、電子ペンを用いて電子メールを送信するメッセージを記載するための媒体であって、電子メールのメッセージを記載するメッセージ領域を有し、当該メッセージ領域は、下絵を有する媒体である。
【００１０】
かかる構成により、電子メールの送信者は下絵を利用して簡単に優れた電子メールを送信でき、受信者は電子メールに利用されなかった下絵を見ることなく、優れた電子メールを受け取ることができる。また、受信者には、送信者が下絵を利用して電子メールを作成したことは分からない。送信者が電子ペンでなぞった線以外の情報は、送信されないからである。
本第六の発明は、第五の発明のおける下絵は、２以上の絵を含む媒体である。
かかる構成により、電子メールの送信者は、同一の媒体（複数枚であるが）を利用して、複数種類の電子メールを容易に作成できる。
本第七の発明は、第五、第六の発明に対して、電子メールの送信先を識別する情報を記載する送信先識別領域をさらに具備する媒体である。
かかる構成により、電子メールの送信者は、電子メールの送信先のアドレスの選択も容易に行える。
【発明の効果】
【００１１】
本発明において、下絵を用いて好適な電子メールを容易に送信できる。
【発明を実施するための最良の形態】
【００１２】
以下、電子メールシステムやサーバ装置等の実施形態について図面を参照して説明する。なお、実施の形態において同じ符号を付した構成要素は同様の動作を行うので、再度の説明を省略する場合がある。
（実施の形態１）
図１は、本実施の形態における電子メールシステムの概念図である。電子メールシステムは、媒体１１、電子ペン１２、携帯通信装置１３、サーバ装置１４、受信側携帯通信装置１５を具備する。
【００１３】
媒体１１は、特殊ドットパターンが印刷されている媒体である。また、媒体１１は、電子メールの送信先を識別する情報を記載する送信先識別領域１１０１と、電子メールのメッセージを記載するメッセージ領域１１０２を有し、当該メッセージ領域は、下絵を有する。なお、媒体１１は、電子メールの背景色を選択する背景色選択領域１１０３も有しても良い。また、媒体１１は、通常、紙で出来ているが、電子ペンで文字や絵等を記述でき、特殊ドットパターンが印刷されていれば何でも良い。
電子ペン１２は、通信機能を有するペンである。電子ペン１２の使用者は、例えば、電子メールを送信する者である。
携帯通信装置１３および受信側携帯通信装置１５は、例えば、携帯電話である。
サーバ装置１４は、ここでは、携帯通信装置１３経由で受信した情報に基づいて、電子メールを送信する。
【００１４】
ユーザは、電子ペン１２で媒体１１のメッセージ領域１１０２にメッセージを記入する。そして、ユーザは、媒体の送信先識別領域１１０１のうちの、電子メールを送信したい相手先に対応するボックス（「１」や「２」や「自分」など）をチェックする。また、ユーザは、背景色選択領域１１０３のうちの、電子メールの背景色としたい色のボックスをチェックする。なお、ユーザが行なう、メッセージの記載、送信先識別領域１１０１の所定のボックスのチェック、背景色選択領域１１０３の所定のボックスのチェックの動作の順序は問わない。
【００１５】
次に、電子ペン１２が記載した情報を取得し、携帯通信装置１３経由でサーバ装置１４に情報が送信される。サーバ装置１４は、送信先識別領域１１０１の情報に基づいて、電子メールの送信先を決定し、当該送信先の受信側携帯通信装置１５に、メッセージ領域１１０２に記載された情報を送信する。なお、当該電子メールは、背景色選択領域１１０３のうちのチェックされた背景色になっている。
図２は、本実施の形態における電子メールシステムのブロック図である。電子ペン１２は、情報取得部１２０１、送信部１２０２を具備する。なお、図２のブロック図において、媒体１１は記載していない。
携帯通信装置１３は、携帯識別子格納部１３０１、ペン情報受信部１３０２、送信情報構成部１３０３、情報転送部１３０４を具備する。
【００１６】
サーバ装置１４は、情報受信部１４０１、送信先決定部１４０２、情報変換部１４０３、電子メール送信部１４０４を具備する。送信先決定部１４０２は、アドレス管理手段１４０２１、アドレス決定手段１４０２２を具備する。
受信側携帯通信装置１５は、電子メール受信部１５０１、入力受付部１５０２、電子メール表示部１５０３を具備する。
【００１７】
情報取得部１２０１は、電子ペン１２で媒体１１に記載された情報を取得する。当該情報は、例えば、媒体１１の中の相対的な位置を特定する情報である座標情報（以下、適宜「位置情報」という。）を１以上有する。情報取得部１２０１が座標情報を取得する方法について説明する。座標情報を取得する方法として、例えば、以下の方法がある。媒体１１に図３に示す特殊ドットパターンが印刷されている場合に、情報取得部１２０１は、特殊ドットパターンによる座標検出技術で実現され得る。具体的には、例えば、図３のような構成になる。図３の構成は、ＣＣＤカメラ３０１、パターン認識と解析を行うプロセッサ３０２で構成される。特殊ドットパターンは、０．３ｍｍピッチのグリッドに沿ってドットを示し、そのドットの配置をＲｉｇｈｔ／Ｌｅｆｔ／Ｕｐ／Ｄｏｗｎの４パターンで振り分けることでコード化を図る。そして、ＣＣＤカメラより、特殊ドットパターンを６０フレーム／秒で撮影し、入力する。そして、撮影した画像情報を解析することにより、入力装置であるＣＣＤカメラの移動（すなわち撮影されるドットパターンの変化）を検出することができる。ＣＣＤカメラの移動を検出することにより、静的物体中の相対的な座標情報を取得できる。なお、情報取得部１２０１の別の手段として、以下のものが考えられる。媒体１１の表面に、座標情報を示すバーコードが印刷されており、情報取得部１２０１は、当該バーコードを読み込み、座標情報を得るバーコードリーダーで実現される。
【００１８】
送信部１２０２は、情報取得部１２０１が取得した情報を携帯通信装置１３に送信する。なお、情報取得部１２０１が取得した情報と送信部１２０２が送信する情報は、一致しなくても良い。送信部１２０２は、情報取得部１２０１が取得した情報に基づいて加工された情報を送信しても良い。かかる場合も、送信部１２０２は、情報取得部１２０１が取得した情報を携帯通信装置１３に送信する、ということとする。送信部１２０２は、通常、ブルートゥース（登録商標）などの近距離無線通信手段で実現されるが、他の無線手段や有線の通信手段や放送手段でも実現可能である。
【００１９】
携帯識別子格納部１３０１は、携帯通信装置１３を識別する情報である携帯識別子を格納している。携帯識別子は、例えば、携帯通信装置１３のユーザの電子メールアドレスや、携帯通信装置１３の電話番号や、携帯通信装置１３のＭＡＣアドレス等である。携帯識別子格納部１３０１は、不揮発性の記録媒体が好適であるが、揮発性の記録媒体でも実現可能である。
ペン情報受信部１３０２は、電子ペン１２から情報を受信する。受信する情報は、通常、座標情報（ｘ，ｙ）の集合である。ペン情報受信部１３０２は、例えば、近距離無線通信手段により実現され得る。
【００２０】
送信情報構成部１３０３は、ペン情報受信部１３０２が受信した情報と、携帯識別子格納部１３０１の携帯識別子に基づいて、サーバ装置１４に転送する情報を構成する。サーバ装置１４に転送する情報は、通常、ペン情報受信部１３０２が受信した情報に携帯識別子が付加された情報である。ただし、送信する情報の構造は問わない。送信情報構成部１３０３は、通常、ＭＰＵやメモリ等から実現され得る。送信情報構成部１３０３の処理手順は、通常、ソフトウェアで実現され、当該ソフトウェアはＲＯＭ等の記録媒体に記録されている。但し、ハードウェア（専用回路）で実現しても良い。
情報転送部１３０４は、送信情報構成部１３０３が構成した情報をサーバ装置１４に送信する。携帯通信装置１３は、無線または有線の通信手段等で実現され得る。
情報受信部１４０１は、携帯通信装置１３から情報を受信する。情報受信部１４０１は、無線または有線の通信手段等で実現され得る。
【００２１】
送信先決定部１４０２は、情報が送信先識別領域１１０１に記載された情報である場合に、当該情報に基づいて送信先を決定する。送信先決定部１４０２は、通常、ＭＰＵやメモリ等から実現され得る。送信先決定部１４０２の処理手順は、通常、ソフトウェアで実現され、当該ソフトウェアはＲＯＭ等の記録媒体に記録されている。但し、ハードウェア（専用回路）で実現しても良い。
【００２２】
情報変換部１４０３は、メッセージ領域１１０２に記載された情報を送信する情報である送信情報に変換する。送信情報は、例えば、画像データである。送信情報は、文字列と画像データを有しても良い。情報変換部１４０３は、通常、ＭＰＵやメモリ等から実現され得る。情報変換部１４０３の処理手順は、通常、ソフトウェアで実現され、当該ソフトウェアはＲＯＭ等の記録媒体に記録されている。但し、ハードウェア（専用回路）で実現しても良い。
【００２３】
電子メール送信部１４０４は、情報がメッセージ領域１１０２に記載された情報である場合に、当該情報に基づいてメッセージを送信する。電子メール送信部１４０４は、例えば、送信先決定部１４０２が決定した送信先に、情報変換部１４０３が取得した送信情報を送信する。電子メール送信部１４０４は、無線または有線の通信手段等で実現され得る。
【００２４】
アドレス管理手段１４０２１は、送信先を示す情報である送信先情報を格納している。アドレス管理手段１４０２１は、例えば、領域を識別する情報である領域情報とメールアドレスを対に有するアドレス管理情報を１以上保持している。領域情報は、例えば、矩形領域の左上の座標情報と右下の座標情報である。アドレス管理手段１４０２１は、不揮発性の記録媒体が好適であるが、揮発性の記録媒体でも実現可能である。
【００２５】
アドレス決定手段１４０２２は、情報受信部１４０１が受信した情報（座標情報の集合）が示す領域が、領域情報が示す領域に含まれる場合に、当該領域情報と対になるアドレスを、アドレス管理手段１４０２１から取得する。アドレス決定手段１４０２２が取得したアドレスが、電子メールの送信先アドレスである。
電子メール受信部１５０１は、サーバ装置１４から電子メールを受信する。電子メール受信部１５０１は、無線または有線の通信手段等で実現され得る。
【００２６】
入力受付部１５０２は、電子メールの表示を指示する表示指示の入力を受け付ける。入力手段は、テンキーやキーボードやマウスやメニュー画面によるもの等、何でも良い。入力受付部１５０２は、テンキーやキーボード等の入力手段のデバイスドライバーや、メニュー画面の制御ソフトウェア等で実現され得る。
【００２７】
電子メール表示部１５０３は、入力受付部１５０２が表示指示の入力を受け付けた場合に、電子メール受信部１５０１が受信した電子メールを表示する。電子メール表示部１５０３は、ディスプレイを含むと考えても含まないと考えても良い。電子メール表示部１５０３は、ディスプレイのドライバーソフトまたは、ディスプレイのドライバーソフトとディスプレイ等で実現され得る。
以下、本電子メールシステムの動作について説明する。まず、電子ペン１２の動作について説明する。
【００２８】
電子ペン１２において、情報取得部１２０１が座標情報を次々と取得し、送信部１２０２は、情報取得部１２０１が取得した情報を携帯通信装置１３に送信する。情報取得部１２０１が取得する座標情報は、電子ペン１２が媒体１１上を移動した軌跡を示す情報である。また、情報取得部１２０１は、取得した複数の座標情報を蓄えておき（保持しているメモリに）、送信部１２０２は、蓄えられた複数の座標情報を一度に携帯通信装置１３に送信しても良い。
次に、携帯通信装置１３の動作について、図４のフローチャートを用いて説明する。
（ステップＳ４０１）ペン情報受信部１３０２は、電子ペン１２から情報を受信したか否かを判断する。情報を受信すればステップＳ４０２に行き、情報を受信しなければステップＳ４０１に戻る。
（ステップＳ４０２）送信情報構成部１３０３は、携帯識別子格納部１３０１から携帯識別子を取得する。
（ステップＳ４０３）送信情報構成部１３０３は、ステップＳ４０１で受信した情報と、ステップＳ４０２で取得した携帯識別子に基づいて、送信する情報を構成する。
（ステップＳ４０４）情報転送部１３０４は、ステップＳ４０３で構成した情報をサーバ装置１４に送信する。ステップＳ４０１に戻る。
なお、図４のフローチャートにおいて、電源オフや処理終了の割り込みにより処理は終了する。
次に、サーバ装置１４動作について、図５のフローチャートを用いて説明する。
（ステップＳ５０１）情報受信部１４０１は、携帯通信装置１３から情報を受信したか否かを判断する。情報を受信すればステップＳ５０２に行き、情報を受信しなければステップＳ５０１に戻る。
【００２９】
（ステップＳ５０２）電子メール送信部１４０４は、ステップＳ５０１で受信した情報が携帯識別子であるか否かを判断する。携帯識別子であればステップＳ５０３に行き、携帯識別子でなければステップＳ５０４に飛ぶ。なお、電子メール送信部１４０４は、ステップＳ５０１で受信した情報が携帯識別子であれば、それを取得する。
（ステップＳ５０３）電子メール送信部１４０４は、ステップＳ５０２で取得した携帯識別子を一時格納する。ステップＳ５０１に戻る。
【００３０】
（ステップＳ５０４）アドレス決定手段１４０２２は、ステップＳ５０１で受信した情報が示す領域が、領域情報が示す領域に含まれるか否かを判断する。領域情報が示す領域であればステップＳ５０５に行き、領域情報が示す領域でなければステップＳ５１２に行く。
（ステップＳ５０５）アドレス決定手段１４０２２は、カウンタｉに１を代入する。
【００３１】
（ステップＳ５０６）アドレス決定手段１４０２２は、ｉ番目のアドレス管理情報が、アドレス管理手段１４０２１に格納されているか否かを判断する。ｉ番目のアドレス管理情報が、アドレス管理手段１４０２１に格納されていればステップＳ５０７に行き、格納されていなければステップＳ５１０に行く。
【００３２】
（ステップＳ５０７）アドレス決定手段１４０２２は、情報受信部１４０１が受信した情報（座標情報の集合）が、ｉ番目のアドレス管理情報が有する領域情報に含まれるか否か、つまり、ｉ番目の領域の情報であるか否かを判断する。受信した情報がｉ番目の領域の情報であればステップＳ５０８に行き、受信した情報がｉ番目の領域の情報でなければステップＳ５１１に飛ぶ。
（ステップＳ５０８）アドレス決定手段１４０２２は、ｉ番目のアドレス管理情報が有するメールアドレスを取得する。
（ステップＳ５０９）アドレス決定手段１４０２２は、ステップＳ５０８で取得したメールアドレスを、少なくとも一時的に格納する。ステップＳ５０１に戻る。
【００３３】
（ステップＳ５１０）アドレス決定手段１４０２２は、エラーを出力する。このエラーは、相手先の指定が不適切である旨のエラーである。また、この出力は、例えば、携帯通信装置１３または、電子ペン１２にエラーメッセージを送信することである。
（ステップＳ５１１）アドレス決定手段１４０２２は、カウンタｉを１、インクリメントする。ステップＳ５０６に戻る。
【００３４】
（ステップＳ５１２）電子メール送信部１４０４は、ステップＳ５０１で受信した情報（座標情報の集合）が示す領域が、メッセージ領域であるか否かを判断する。メッセージ領域であればステップＳ５１３に行き、メッセージ領域でなければステップＳ５１４に飛ぶ。
（ステップＳ５１３）電子メール送信部１４０４は、ステップＳ５０１で受信した情報（座標情報の集合）を、少なくとも一時的に格納する。ステップＳ５０１に戻る。
【００３５】
（ステップＳ５１４）情報変換部１４０３は、ステップＳ５０１で受信した情報（座標情報の集合）が示す領域が、送信指示の領域であるか否かを判断する。送信指示の領域であればステップＳ５１５に行き、送信指示の領域でなければステップＳ５０１に戻る。
【００３６】
（ステップＳ５１５）情報変換部１４０３は、格納している座標情報の集合から送信情報を構成する。送信情報の構成は、例えば、座標情報の集合をビットマップデータに変換する処理である。また、送信情報の構成は、例えば、座標情報の集合から文字認識して、文字列を抽出できた場合に、当該文字列を示す文字コードを取得し、他の座標情報からビットマップデータを構成する処理である。
（ステップＳ５１６）電子メール送信部１４０４は、ステップＳ５１５で構成した送信情報を送信する。かかる電子メールの送信者の情報は、ステップＳ５０３で格納した携帯識別子である。また、電子メールの送信先は、ステップＳ５０９で格納したメールアドレスである。ステップＳ５０１に戻る。
【００３７】
なお、図５のフローチャートにおいて、電源オフや処理終了の割り込みにより処理は終了する。また、図５のフローチャートにおいて、送信情報の構成は、行なわなくても良い。例えば、座標情報の集合から送信情報を構成する処理は、携帯通信装置１３や受信側携帯通信装置１５が行っても良い。
【００３８】
また、図５のフローチャートにおいて、送信先識別領域の情報と、メッセージ領域の情報と、送信指示領域の情報が一度に送信されてきても良い。かかる場合、サーバ装置１４は、領域ごとに情報を分けて、上記と同様の処理を行なう。領域ごとに情報を分ける処理は、例えば、以下のように行う。つまり、サーバ装置１４は、各領域の情報（例えば、矩形領域の左上座標と右下座標）を保持しており、処理対象の情報がどの領域に記載されたか判断することにより、情報を分ける。
【００３９】
次に、受信側携帯通信装置１５の動作について説明する。受信側携帯通信装置１５の電子メール受信部１５０１は、電子メールを受信する。次に、入力受付部１５０２が受信した電子メールの表示の指示を受け付けることにより、電子メール表示部１５０３は、受信した電子メールを表示する。
以下、本実施の形態における電子メールシステムの具体的な動作について説明する。電子メールシステムの概念図は図１である。
今、電子メールシステムを構成する媒体１１の例を、図６に示す。図６において、媒体１１は、電子メールの送信先を識別する情報を記載する送信先識別領域１１０１と、電子メールのメッセージを記載するメッセージ領域１１０２と、電子メールの背景色を選択する背景色選択領域１１０３と、送信指示のチェックを記載する送信領域１１０４を有し、当該メッセージ領域１１０２には、下絵を有する。また、下絵は、通常、１以上の絵を含む。さらに、下絵は、薄い線（例えば、灰色の線）、または細い線、または破線等で印刷されている。また、下絵は、文字だけでも良いし、文字と絵を組み合わせたものでも良い。なお、下絵は、２以上の絵を含むことが好適である。２以上の絵を含めば、ユーザは、下絵を選択し、送信先に応じた好適な電子メールを作成できるからである。図６において、媒体１１は、クリスマスカードとして使用できる絵を複数有する。なお、媒体１１は、クリスマスカードや、年賀状や、暑中見舞いなど、同一の主題を示す絵を１以上有することが好適である。同一の主題を示す絵とは、例えば、年賀状の場合、門松、お餅、凧、コマなど、お正月を印象付ける絵である。
【００４０】
また、サーバ装置１４は、図７の送信先情報管理表を保持している。送信先情報管理表は、１以上のアドレス管理情報（ここでは、レコード形式の情報）を含む。アドレス管理情報は、「ＩＤ」「領域情報」「メールアドレス」を有する。「ＩＤ」は、レコードを識別する情報であり、表におけるレコード管理のために存在する。「領域情報」は、矩形領域の左上の座標情報（ｘ１，ｙ１）と右下の座標情報（ｘ２，ｙ２）を有する。
かかる場合、まず、ユーザは、１番目に登録した送信先（図６の媒体のアドレス選択「１」に登録した送信先）に、クリスマスカードを送信する、とする。
ユーザは、送信先識別領域（アドレス選択の領域）１１０１の「１」をチェックする。すると、電子ペン１２には、電子ペン１２の軌跡を示す座標情報が格納される（図８参照）。
【００４１】
次に、ユーザは、メッセージ領域１１０２の左側の下部に、２行にわたって「Ｍｅｒｒｙ  Ｃｈｒｉｓｔｍａｓ」と、電子ペンで記述する。次に、ユーザは、メッセージ領域のうちの、字を書き込んだ箇所より上に記載されている下絵（クリスマスプレゼントの箱の絵、ベルの絵、クリスマスツリーの絵）をなぞって、クリスマスカードを完成させる。
かかる場合、電子ペン１２には、図９に示すような座標情報の列が格納されている。図９の座標情報は、図８の座標情報に、メッセージ領域に記載された電子ペン１２の奇跡の座標情報が追加されている。
次に、ユーザは、背景色選択領域１１０３のいずれかのボックスをチェックし、背景色を選択する。
さらに、ユーザは、送信領域１１０４をチェックする。すると、電子ペン１２には、図１０に示すような座標情報の列が格納される。
次に、例えば、ユーザは、電子ペン１２の送信ボタン（ハードウェアで構成されているボタン）を押下する。
すると、電子ペン１２は、図１０に示す座標情報の列を携帯通信装置１３に送信する。
【００４２】
次に、携帯通信装置１３は、図１０に示す座標情報の列を受信する。次に、携帯通信装置１３は、携帯識別子格納部１３０１に格納している携帯識別子「ｗａｏ＠ｐｐｐ．ｎｅ．ｊｐ」を読み出す。次に、携帯通信装置１３は、図１０に示す座標情報の列に、携帯識別子「ｗａｏ＠ｐｐｐ．ｊｐ．ｎｅ．ｊｐ」を付加して、図１１に示す送信情報を構成する。送信情報のヘッダーは、携帯識別子である。そして、携帯通信装置１３は、予め登録されている送信先（例えば、サーバ装置１４に到着するメールアドレスやサーバ装置１４のＩＰアドレスなど）で識別されるサーバ装置１４に、図１１に示す送信情報を転送する。
【００４３】
次に、サーバ装置１４は、図１１に示す送信情報の列を受信する。そして、サーバ装置１４は、まず、携帯識別子「ｗａｏ＠ｐｐｐ．ｊｐ．ｎｅ．ｊｐ」を抽出する。次に、サーバ装置１４は、受信した情報を、送信先識別領域の情報、メッセージ領域の情報、背景色選択領域の情報、送信領域の情報に分ける。そして、送信先識別領域の情報から、送信先識別領域の「１」の送信先（１番目に登録した送信先）であることを判断し、図７の「ＩＤ＝１」のメールアドレス「ａｔａｎａｋａ＠ｘｘｘ．ｎｅ．ｊｐ」を取得する。
【００４４】
次に、サーバ装置１４は、メッセージ領域１１０２の情報と背景色選択領域１１０３の情報からビットマップを構成する。その結果、サーバ装置１４は、メールで送信するメッセージ（図１２）を得る、とする。そして、サーバ装置１４は、携帯識別子「ｗａｏ＠ｐｐｐ．ｊｐ．ｎｅ．ｊｐ」から受信した電子メールとして、図１２のメッセージをメールアドレス「ａｔａｎａｋａ＠ｘｘｘ．ｎｅ．ｊｐ」に送信する。
【００４５】
次に、メールアドレス「ａｔａｎａｋａ＠ｘｘｘ．ｎｅ．ｊｐ」で識別される受信側携帯通信装置１５にメールが届く。そして、受信側携帯通信装置１５のユーザは、指示により、そのメールを表示する。すると、受信側携帯通信装置１５において、図１３に示すように、電子メールが表示される。図１３の電子メールにおいて、送信者は、「ｗａｏ＠ｐｐｐ．ｊｐ．ｎｅ．ｊｐ」となっている。
次に、ユーザは、２番目に登録した送信先（図６の媒体のアドレス選択「１」に登録した送信先）に、１番目に登録した送信先とは異なるクリスマスカードを送信する、とする。
ユーザは、送信先識別領域（アドレス選択の領域）１１０１の「２」をチェックする。すると、電子ペン１２には、電子ペン１２の軌跡を示す座標情報が格納される。
【００４６】
次に、ユーザは、メッセージ領域の左上部に「ＭＥＲＲＹ  ＣＨＲＩＳＴＭＡＳ」、その下に「いっしょにケーキたべようね」と、電子ペンで記述する。次に、ユーザは、メッセージ領域のうちの、字を書き込んだ箇所より下に記載されている下絵（クリスマスツリーの絵など）をなぞって、クリスマスカードを完成させる。
そして、同様に、ユーザは、背景色選択領域１１０３のいずれかのボックスをチェックし、背景色を選択する。
さらに、ユーザは、送信領域１１０４をチェックする。すると、電子ペン１２には、図１０（図１０は例である）に示すような座標情報の列が格納される。
次に、例えば、ユーザは、電子ペン１２の送信ボタン（ハードウェアで構成されているボタン）を押下する。すると、電子ペン１２は、図１０に示すような座標情報の列を携帯通信装置１３に送信する。
その後、携帯通信装置１３、サーバ装置１４は、１番目に登録した送信先にメールを送信する際の動作（説明済み）と同様の処理を行い、図１４のメッセージを「ｋａｏｋｉ＠ｙｙｙ．ｎｅ．ｊｐ」に送信する。
【００４７】
以上、本実施の形態によれば、電子メールを送信する相手によって異なる電子メールを送信することが、極めて容易にできる。つまり、本電子メールシステムは、電子メールシステムと手紙によるメール作成の長所を融合し、手軽に、かつ趣深い電子メールを送信できる。また、同一の電子ペンで電子メールを記述しても、通過する携帯通信装置が異なれば、メールの受信者からすれば、異なる人から電子メールが届いたように見える。かかることは、電子ペンを複数人（例えば、家族）で共用しても、それぞれの人が電子メールを記載したように、受信者側から思われる、という効果がある。
さらに、本実施の形態によれば、受信者は電子メールに利用されなかった下絵を見ることなく、優れた電子メールを受け取ることができる。また、受信者には、送信者が下絵を利用して電子メールを作成したことは分からない。送信者が電子ペンでなぞった線以外の情報は、送信されないからである。
【００４８】
なお、本実施の形態によれば、携帯通信装置は、携帯識別子格納部、ペン情報受信部、送信情報構成部、情報転送部を具備し、受信した情報に携帯識別子を付加したが、携帯通信装置は、単に受信した情報をサーバ装置１４に転送するだけでも良い。かかる場合、携帯通信装置は、電子ペンから情報を受信し、前記サーバ装置に転送する情報転送部を具備する構成となる。
また、本実施の形態において、媒体の送信先識別領域は、必須ではない。送信者は、別の手段で送信先を指定しても良い。したがって、本電子メールシステムは、メール送信するメッセージを記載するための媒体と、電子ペンと、携帯通信装置と、サーバ装置を具備する電子メールシステムであって、前記媒体は、電子メールのメッセージを記載するメッセージ領域を有し、当該メッセージ領域は、下絵を有する媒体であり、前記電子ペンは、前記媒体に記載された情報を取得する情報取得部と、前記情報取得部が取得した情報を前記携帯通信装置に送信する送信部を具備し、前記携帯通信装置は、前記電子ペンから情報を受信し、前記サーバ装置に転送する情報転送部と、前記サーバ装置は、前記携帯通信装置から情報を受信する情報受信部と、前記受信した情報に基づいてメッセージを送信する電子メール送信部を具備する電子メールシステムであっても良い。
【００４９】
また、本実施の形態によれば、媒体のメッセージ領域に、２以上の絵を含む下絵が記述されていた。しかし、下絵が含む絵は、分離されていない１つの絵でも良い。かかる場合でも、送信者は、下絵を採用する場合と、採用しない場合で、複数種類のメールを送信できる。送信者が下絵を採用した場合でも、受信者は送信者が下絵を利用して電子メールを作成したことが分からず、送信者にとって好適である。さらに、下絵は１以上の文字列（文字列は、通常、所定の意味がある）を含んでも、１以上の文字列だけでも良い。
【００５０】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における携帯通信装置を実現するソフトウェアは、以下のようなプログラムである。つまり、このプログラムは、コンピュータに、前記電子ペンから情報を受信するペン情報受信ステップと、前記ペン情報受信ステップで受信した情報と、格納している携帯識別子に基づいて、サーバ装置に送信する情報を構成する送信情報構成ステップと、送信情報構成ステップで構成した情報を前記サーバ装置に送信する情報転送ステップを実行させるためのプログラム、である。
（実施の形態２）
本実施の形態において、サーバ装置を介さずに、電子ペンから携帯通信装置を経由して受信側携帯通信装置に電子メールを送信する電子メールシステムについて説明する。
図１５は、本実施の形態における電子メールシステムの概念図である。電子メールシステムは、媒体１１、電子ペン１２、携帯通信装置１５３、受信側携帯通信装置１５を具備する。
【００５１】
図１６は、本実施の形態における電子メールシステムのブロック図である。携帯通信装置１５３は、携帯識別子格納部１３０１、ペン情報受信部１３０２、送信情報構成部１３０３、送信先決定部１４０２、電子メール送信部１４０４を具備する。送信先決定部１４０２は、アドレス管理手段１４０２１、アドレス決定手段１４０２２を具備する。
【００５２】
つまり、携帯通信装置１５３は、実施の形態１におけるサーバ装置１４の一部の機能を有する。携帯通信装置１５３が有するサーバ装置１４の一部の機能は、電子メールの送信先を決定し、電子メールを当該送信先の受信側携帯通信装置１５に送信することである。
以下、本電子メールシステムの動作について説明する。電子ペン１２、受信側携帯通信装置１５の動作については説明済みである。
次に、携帯通信装置１５３の動作について、図１７のフローチャートを用いて説明する。
（ステップＳ１７０１）ペン情報受信部１３０２は、電子ペン１２から情報を受信したか否かを判断する。情報を受信すればステップＳ１７０２に行き、情報を受信しなければステップＳ１７０１に戻る。
（ステップＳ１７０２）送信情報構成部１３０３は、携帯識別子格納部１３０１から携帯識別子を取得する。
【００５３】
（ステップＳ１７０３）送信情報構成部１３０３は、ステップＳ１７０１で受信した情報とステップＳ１７０２で取得した携帯識別子に基づいて、送信する情報である送信情報を構成する。ここで、送信情報構成部１３０３は、ステップＳ１７０１で受信した情報に基づいて、送信する電子メールのメッセージのイメージデータを構成し、当該イメージデータに携帯識別子を付加しても良いし、ステップＳ１７０１で受信した情報（座標情報の列）に携帯識別子を付加しても良い。その他、送信情報構成部１３０３の情報の構成方法は問わない。
（ステップＳ１７０４）送信先決定部１４０２は、ステップＳ１７０１で受信した情報のうちの送信先識別領域１１０１の情報に基づいて、送信先を決定する。
（ステップＳ１７０５）電子メール送信部１４０４は、ステップＳ１７０３で構成した送信情報を、ステップＳ１７０４で決定した送信先に送信する。ステップＳ１７０１に戻る。
なお、図１７のフローチャートにおいて、電源オフや処理終了の割り込みにより処理は終了する。
【００５４】
また、具体的な電子ペン１２で電子メールを作成してから、電子メールが受信側携帯通信装置１５に到着するまでの動作は、サーバ装置を介しない以外は、概ね実施の形態１と同様である。勿論、サーバ装置で行なっていた送信先の決定等の処理は、携帯通信装置１５３が行なう。したがって、具体的な電子メール送信の処理説明は省略する。
【００５５】
以上、本実施の形態によれば、サーバ装置を介さずに、電子メールを送信する相手によって異なる電子メールを送信することが、極めて容易にできる。また、実施の形態１では、送信先の登録がサーバ装置で行なわねばならなかったが、本実施の形態においては、携帯通信装置において送信先の登録をすれば良い。したがって、送信先の管理、変更が極めて容易となる。
【００５６】
なお、本実施の形態において、電子メールのメッセージを示す座標情報を、ディスプレイに表示可能な情報に変換する処理は、携帯通信装置で行なっても、電子ペンで行なっても、受信側携帯通信装置で行なっても良い。
また、本実施の形態における携帯通信装置を実現するソフトウェアは、以下のようなプログラムである。つまり、このプログラムは、コンピュータに、前記電子ペンから情報を受信するペン情報受信ステップと、前記ペン情報受信ステップで受信した情報と、格納している携帯識別子に基づいて、送信する情報を構成する送信情報構成ステップと、送信情報構成ステップで構成した情報を送信する情報転送ステップを実行させるためのプログラム、である。
また、上記で述べたプログラムを実行するコンピュータは、単数であってもよく、複数であってもよい。すなわち、集中処理を行ってもよく、あるいは分散処理を行ってもよい。
また、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
また、上記各実施の形態において、媒体１１は、紙以外の媒体でも良い。例えば、媒体１１は、プラスチックなどでも良い。
【００５７】
また、上記各実施の形態において、各処理（各機能）は、単一の装置（システム）によって集中処理されることによって実現されてもよく、あるいは、複数の装置によって分散処理されることによって実現されてもよい。
【００５８】
本発明は、以上の実施の形態に限定されることなく、種々の変更が可能であり、それらも本発明の範囲内に包含されるものであることは言うまでもない。
【産業上の利用可能性】
【００５９】
以上のように、本発明にかかる電子メールシステム等は、電子メールを送信する相手によって異なる電子メールを送信することが、極めて容易にでき、電子メールシステム等として有用である。
【図面の簡単な説明】
【００６０】
【図１】実施の形態１における電子メールシステムの概念図
【図２】同電子メールシステムのブロック図
【図３】同座標検出技術を説明する図
【図４】同携帯通信装置の動作について説明するフローチャート
【図５】同サーバ装置の動作について説明するフローチャート
【図６】同媒体の例を示す図
【図７】同送信先情報管理表を示す図
【図８】同電子ペンが格納する情報の例を示す図
【図９】同電子ペンが格納する情報の例を示す図
【図１０】同電子ペンが格納する情報の例を示す図
【図１１】同送信情報の例を示す図
【図１２】同メールで送信するメッセージの例を示す図
【図１３】同受信側携帯通信装置において表示される電子メールの例を示す図
【図１４】同メールで送信するメッセージの例を示す図
【図１５】実施の形態２における概念図
【図１６】同電子メールシステムのブロック図
【図１７】同携帯通信装置の動作について説明するフローチャート
【符号の説明】
【００６１】
１１  媒体
１２  子ペン
１３、１５３  携帯通信装置
１４  サーバ装置
１５  受信側携帯通信装置
１１０１  送信先識別領域
１１０２  メッセージ領域
１１０３  背景色選択領域
１１０４  送信領域
１２０１  情報取得部
１２０２  送信部
１３０１  携帯識別子格納部
１３０２  ペン情報受信部
１３０３  送信情報構成部
１３０４  情報転送部
１４０１  情報受信部
１４０２  送信先決定部
１４０３  情報変換部
１４０４  電子メール送信部
１５０１  電子メール受信部
１５０２  入力受付部
１５０３  電子メール表示部
１４０２１  アドレス管理手段
１４０２２  アドレス決定手段
【図１】
2006155258.tif 000003
【図２】
2006155258.tif 000004
【図３】
2006155258.tif 000005
【図４】
2006155258.tif 000006
【図５】
2006155258.tif 000007
【図６】
2006155258.tif 000008
【図７】
2006155258.tif 000009
【図８】
2006155258.tif 000010
【図９】
2006155258.tif 000011
【図１０】
2006155258.tif 000012
【図１１】
2006155258.tif 000013
【図１２】
2006155258.tif 000014
【図１３】
2006155258.tif 000015
【図１４】
2006155258.tif 000016
【図１５】
2006155258.tif 000017
【図１６】
2006155258.tif 000018
【図１７】
2006155258.tif 000019